(57)【要約】【課題】  本発明は、建物内あるいは災害現場等の屋外現場において短期間で形成することができ、部屋の組立てに関して高度な技術を必要とせず、大掛かりな搬送手段を必要としない自立構造手術室を提供する。【解決手段】  手術室１の側面を構成する複数の壁パネル２，２ａと、前記複数の壁パネル２，２ａの上辺を固定する架台４と、前記複数の壁パネル２，２ａの載置面が備わる巾木部３とを有し、前記壁パネル２，２ａ及び前記架台４を前記巾木部３で支持する。【選択図】        図１
2007077744.tif 000002
【特許請求の範囲】
【請求項１】
手術室の側面を構成する複数の壁パネルと、
前記複数の壁パネルの上辺を固定する架台と、
前記複数の壁パネルの載置面が備わる巾木部とを有し、
前記壁パネル及び前記架台を前記巾木部で支持することを特徴とする自立構造手術室。
【請求項２】
前記手術室は、建物の各フロアを仕切るスラブ間に設置されたことを特徴とする請求項１に記載の自立構造手術室。
【請求項３】
前記巾木部は、前記載置面を上下方向に調整するための高さ調整手段を有することを特徴とする請求項１又は２に記載の自立構造手術室。
【請求項４】
前記載置面に位置決め用の溝が形成され、前記壁パネル下辺には前記溝に嵌合する凸部が形成されることを特徴とする請求項１〜３のいずれかに記載の自立構造手術室。
【請求項５】
前記壁パネルの一方の側縁全長にわたって位置決め用の切欠きが形成され、他方の側縁に、隣合う壁パネルの前記切欠きに嵌合する突出片が備わることを特徴とする請求項１〜４のいずれかに記載の自立構造手術室。
【請求項６】
前記壁パネルの一方の側縁に連結用突起が備わり、他方の側縁に、隣合う壁パネルの前記突起を差込んで係止するための差込孔が備わることを特徴とする請求項１〜５のいずれかに記載の手術室の部屋構造。
【請求項７】
前記架台は少なくとも対向する壁パネル同士を連結することを特徴とする請求項１〜６のいずれかに記載の自立構造手術室。
【発明の詳細な説明】
【技術分野】
【０００１】
本発明は、部屋の構成部材の自重を下側に備わる巾木部で支持する自立型の手術室に関する。
【背景技術】
【０００２】
病院等に手術室を設ける場合、まず各フロアごとにスラブ（コンクリートの床）で仕切られた建物を建築し、手術室を設けるフロアに手術室用の部屋を分割して形成し、そこに手術に必要な器材を載置する。従来は、床スラブと上階の床スラブとの間を鉄筋コンクリート等の構造材からなる壁材で仕切って手術室を形成していた。このため、構造が大掛かりになって、工期が長くかかっていた。また、いったん建築されると床面積やレイアウトの変更はほとんど不可能であった。
【０００３】
移動病院システムが特許文献１に記載されている。このシステムは、病院内設備の一部を具備したコンテナ車両を連結して全体として病院設備を形成するものである。しかし、特許文献１の移動病院システムは、部屋として用いるコンテナをそのまま現場まで運搬するため、搬送効率が悪く、また大掛かりな搬送手段が必要である。
【０００４】
【特許文献１】特開２０００−１４２２１１号公報
【発明の開示】
【発明が解決しようとする課題】
【０００５】
本発明は、建物内あるいは災害現場等の屋外現場において短期間で形成することができ、部屋の組立てに関して高度な技術を必要とせず、大掛かりな搬送手段を必要としない自立構造手術室の提供を目的とする。
【課題を解決するための手段】
【０００６】
前記目的を達成するため、請求項１の発明では、手術室の側面を構成する複数の壁パネルと、前記複数の壁パネルの上辺を固定する架台と、前記複数の壁パネルの載置面が備わる巾木部とを有し、前記壁パネル及び前記架台を前記巾木部で支持することを特徴とする自立構造手術室を提供する。
【０００７】
請求項２の発明は、請求項１の発明において、前記手術室は、建物の各フロアを仕切るスラブ間に設置されたことを特徴としている。
【０００８】
請求項３の発明は、請求項１又は２の発明において、前記巾木部は、前記載置面を上下方向に調整するための高さ調整手段を有することを特徴としている。
【０００９】
請求項４の発明は、請求項１〜３のいずれかに記載の発明において、前記載置面に位置決め用の溝が形成され、前記壁パネル下辺には前記溝に嵌合する凸部が形成されることを特徴としている。
【００１０】
請求項５の発明では、請求項１〜４のいずれかに記載の発明において、前記壁パネルの一方の側縁全長にわたって位置決め用の切欠きが形成され、他方の側縁に、隣合う壁パネルの前記切欠きに嵌合する突出片が備わることを特徴としている。
【００１１】
請求項６の発明では、請求項１〜５のいずれかに記載の発明において、前記壁パネルの一方の側縁に連結用突起が備わり、他方の側縁に、隣合う壁パネルの前記突起を差込んで係止するための差込孔が備わることを特徴としている。
【００１２】
請求項７の発明では、請求項１〜６のいずれかに記載の発明において、前記架台は少なくとも対向する壁パネル同士を連結することを特徴としている。
【発明の効果】
【００１３】
請求項１の発明によれば、壁パネルと架台を壁パネルを載置する巾木部で支持するため、壁パネルや架台に取付けられる器材や照明機器等の自重を全て巾木部で支持することになる。すなわち、自立構造の手術室を設けることができる。したがって、巾木部を設けられるスペースがあればどのような場所にも手術室を設けることができる。手術室の側壁は構造材を用いずに壁パネルを連結して組立てることにより構築できるため、短期間で独立した手術室を容易に建築できる。
【００１４】
請求項２の発明によれば、自立構造の手術室が床（床スラブ）と天井（上階の床スラブ）を有する建物内の床スラブ上に自立させて構築できるため、手術室として特別に形成された部屋でない通常の部屋も手術室として使用することができる。また、部屋の床面は通常面一に形成されているため、安定して手術室を形成することができる。また、手術室の天井材及び照明や環気口等を手術室天井側の架台に連結して支持することができる。
【００１５】
請求項３の発明によれば、壁パネル下側の巾木部に壁パネル載置面の高さ調整手段が備わるため、不陸のある床面や整地されていない地面に巾木部を固定した場合においても、複数の壁パネルの載置面を水平に揃えることができる。
【００１６】
請求項４の発明によれば、巾木部の載置面に壁パネルの位置決め用の溝が形成され、この溝に壁パネル下面の凸部を嵌合することができるため、巾木部上に載置される壁パネルの面外方向（パネル面に直角な方向）の位置決めが可能となり、隣合う壁パネルを容易に揃えて設置することができる。
【００１７】
請求項５の発明によれば、壁パネルの側縁全長にわたって位置決め用切欠きが形成され、この切欠きに突出片を合わせて隣合う壁パネルを連結できるので、壁パネル同士を確実に面一にして連結することができる。
【００１８】
請求項６の発明によれば、壁パネル側縁に連結用の突起が備わり、この突起を隣合う壁パネルの差込孔に差込んで壁パネルを連結することができるので、簡単な構造で壁パネル同士が隙間を生じることなく容易に連結でき、また連結の際の特別の道具等を必要としない。
【００１９】
請求項７の発明によれば、対向する壁パネル同士を架台により連結するので、対向する壁パネルの上側が開いて不安定になることはなく、また、壁パネルの倒れが防止され安定した自立構造で良好な耐震構造を得ることができる。
【発明を実施するための最良の形態】
【００２０】
図１は本発明に係る手術室の部屋構造の概略図である。
図示したように、手術室１は、側面を形成する複数の壁パネル２と、壁パネル２を載置する巾木部３と、壁パネル２の上側を固定する架台４で構成される。壁パネル２はその側縁の端面同士を突き合わせて複数枚並べられる。平面視がほぼ矩形の手術室１の側壁は、この複数枚の壁パネル２により形成される。部屋の隅部の壁パネル２ａは、両側縁が中央面に対し１３５°開いて側縁同士が相互に９０°をなす隅用のパネル材である。したがって、部屋の隅部は平面視で直角ではなく斜めに形成される。このような斜めの隅部の壁パネルに、例えば空調用の環気口を設けることができる。
【００２１】
このように形成される手術室１は、壁パネル２と架台４を巾木部３で支持するため、壁パネル２や架台４に取付けられる器材や照明機器等の自重を全て巾木部３で支持することになる。すなわち、自立構造の手術室１を設けることができる。したがって、巾木部３を設けられるスペースがあればどのような場所にも手術室１を設けることができる。また、手術室は柱等の建物の構造材を必要とせずに壁パネルを連結させて形成されるため、迅速に組立て作業を行うことができる。また、このような自立構造の手術室を建物の上下フロアの床スラブ間に設ければ、手術室として予め構造材で仕切られた部屋でないフロア上の任意の位置に手術室を設けることができる。また、部屋の床面は通常面一に形成されているため、安定して手術室を形成することができる。また、部屋の天井板及び照明あるいは給気ガラリや環気ガラリ等を架台から吊下げ支持して手術室を独立した自立構造とすることができる。
【００２２】
架台４は第１の連結棒１５と、第２の連結棒１６と、押え部材１７で構成される。壁パネル２の上縁は断面略コ字上の押え部材１７により連結固定される。これにより、隣合う壁パネル同士を揃えて固定保持できる。また、押え部材１７は対向する辺の押え部材１７と第１の連結棒１５により連結される。これにより、対向する壁パネル２の上部が外側に開いて傾くことを防止できる。第１の連結棒１５は第２の連結棒１６で連結される。これにより、さらに架台４による壁パネル２の固定が強固になる。
【００２３】
押え部材１７は、Ｌ型等のアングル材を側壁の室内面側の上縁に沿って配設し、このアングル材に各壁パネルの上縁をボルトで固定してもよい。押え部材１７の上に角パイプ等の補強材を側壁上縁に沿って連続して設け、耐震性を強化してもよい。各壁パネル２，２ａの背面（室外面側）には縦及び／又は横の補強用リブ（図示しない）が設けられ、強度が高められる（図３）。
【００２４】
架台４の連結棒１５及び／又は１６から吊りボルト（図示しない）を下げ、この吊りボルトにより手術室内の天井板や照明器具あるいは空調用吹出口等を吊下げ支持する（図５）。これらの自重は、架台４、壁パネル２を含め、全て巾木部３上に支持される。これにより、独立した自立構造の手術室が形成される。
【００２５】
図２は巾木部の断面図である。
巾木部３は、ベース部材５と、載置台６で構成される。ベース部材５は断面略コ字状であり、上側が開口するように床（コンクリートスラブ）上に載置され、長手方向の複数個所がアンカー７により固定される。これにより、巾木部３は確実に床に対して固定される。載置台６の上には壁パネル２が載置される。部屋の床面には床材８が敷かれ、巾木部３の室内側に立ち上がるようにして形成される。
【００２６】
巾木部３の下面に障害物９がある場合あるいは床スラブに不陸が生じている場合、（Ｂ）に示すように、巾木部３のベース部材５が上に持ち上がる。この場合、レベル調整ボルト１１を調整し、載置台６を下側に移動させてネジ１０等によりベース部材５に固定する。これにより、巾木部３の下面に不陸がある場合においても、壁パネル２を載置する載置台６の床からの高さを揃えることができ、手術室の形成の際に壁パネル２の高さ方向の不揃いを防止できる。
【００２７】
載置台６の室外側は下側に凹んでいる。この凹みと、ベース部材５の室外側の面で溝１２を形成する。壁パネル２の室外側の下面にはこの溝１２に嵌合する凸部１３が備わる。壁パネル２を載置台６に載置する際、この溝１２に凸部１３を嵌合して載置することにより、壁パネル２が確実に位置決めされて載置され、隣合う壁パネル２の面外方向の位置ずれを防止できる。
【００２８】
図３（Ａ）は壁パネルの上面図であり、（Ｂ）は裏面図である。
図は隣接した２枚の壁パネル２ｂ，２ｆを示す。壁パネル２ｂ，２ｆは、一方の側縁が全長にわたって突出して突出片１４が形成され、他方の側縁には全長にわたって切欠き１８が形成される。隣合う壁パネル２ｂにも同様に突出片１４と切欠き１８が形成される。このように側縁を段違いの合じゃくり形状となるように形成することにより、隣合う壁パネル２ｂ，２ｆは互いに切欠き１８と突出片１４を係合して連結されるので、壁パネル２ｂ，２ｆが面外方向にずれを起こすことはない。
【００２９】
壁パネル２ｂの突出片１４が形成される側縁には、複数個（図では３個）のフック状の突起１９が備わる。また、切欠き１８が形成される側縁には、突起１９に対応する差込孔２０が備わる。壁パネル２ｂ，２ｆを連結する際、この突起１９を差込孔２０に差込んで嵌め込むことにより、確実に、より強固に隣合う壁パネル２ｂ，２ｆを連結することができる。
【００３０】
壁パネル２ｂ，２ｆの裏面（室外側）には、両側縁より高さ方向全長に渡って突出する縦リブ２１と、この縦リブ２１間に横方向に渡って突出する横リブ２２が形成される。この縦横リブ２１，２２により、壁パネル２ｂ，２ｆは補強される。２３，２４は壁パネル２ｂ，２ｆ正面側（図の裏面側）から器材を入れ込むための開口である。
【００３１】
図４（Ａ）は手術室の上面図であり、（Ｂ）は（Ａ）のＢ−Ｂ視図である。
手術室の側面を形成する複数の壁パネル２の各辺の上部は押え部材１７により固定される。押え部材１７は手術室１の壁面の各辺ごとに１つ又は各辺を連結して保持する矩形状に連続して形成された押え部材１７を用いてもよい。押え部材１７には台２５が載置され、その上に第１の連結棒１５が載置される（図では３本の第１の連結棒１５）。この上に、第２の連結棒１６が載置される。このように、第１の連結棒１５で対向する２辺の側面を固定し、さらにこの第１の連結棒１５を第２の連結棒１６で固定する（図では２本の第２の連結棒１６）ことにより、より強固に確実に複数枚の壁パネル２からなる手術室の壁面を固定することができる。また、第１の連結棒１５、第２の連結棒１６、押え部材１７の寸法を予め正確に製造することにより、手術室の組立ての際に室内寸法を正確に確保することができる。
【００３２】
図５（Ａ）は図４（Ａ）のＣ−Ｃ断面図であり、（Ｂ）は（Ａ）の上面図である。
図示したように、第１の連結棒１５からは逆Ｔ字状の吊り部材２６が垂設される。この吊り部材２６には、天井パネル２７が載置される。天井パネル２７は複数個（図では２個）の開口部２８，２９が形成される。開口部２８には、例えば照明器材を嵌め込み、開口部２９には、例えば空調エアの給気口を設けることができる。このような器材の配線や配管、あるいは天井面にアースをとる場合の配線等は、架台を構成する第１の連結棒１５や第２の連結棒１６に沿わせて結束することができる。
【００３３】
図６は壁パネルで形成された手術室の側壁の一部を示す概略図である。
図示したように、巾木部３及び壁パネル２同士の連結構造（図２、図３参照）により、隣合う壁パネル２の高さは全て揃い、目地も隙間なく連結される。図では、３枚の壁パネル２ｃ，２ｄ，２ｅを示す。壁パネル２ｃは耐震補強された壁パネルであり、器材を入れ込む開口がなく、部屋の壁面の１辺に対し少なくとも１枚入れるものとする。これにより、手術室１の耐震強度を上げることができる。壁パネル２ｄは下面まで開口する開口部２４を有する。したがって、車輪３０を有する器材戸棚３１等の比較的大きくて重い器材を入れ込むことができる。器材戸棚３１には高さを調整するレベル調整器具３２が下面に備わる。なお、壁パネル２ｄは下面まで開口するため、巾木部３は設けられていない。壁パネル２ｅに備わる開口部２３には、Ｘ線等の写真を見るためのシャーカステン３３が入れ込まれる。
【００３４】
壁面を構成する壁パネル２には、腰高（約８００ｍｍ）までの張替え可能な抗菌シート（不図示）を貼り付けてもよい。これにより、壁面の傷や汚れを防止できる。
【００３５】
このように形成された手術室は予め部品が製造され、これを現場に搬入して組立てるだけなので、廃材や残材を産出することなく、非常に短期間で完成させることができる。組立てはボルトや嵌め込み等による簡単な作業でできるため、専門の知識や技術を必要とせず組立てることができ、さらに解体作業も簡単に行うことができる。したがって、再使用する場合も迅速かつ簡単に行うことができる。壁パネルは軽量のアルミで形成すれば、持ち運びを簡単に行うことができ、迅速な施工作業ができる。
【産業上の利用可能性】
【００３６】
本発明は、組立て式の部屋構造として種々の部屋に適用できる。建物内の手術室に限らず、災害地等の屋外で簡易自立式の手術室として構築できる。
【図面の簡単な説明】
【００３７】
【図１】本発明に係る手術室の部屋構造の概略図。
【図２】巾木部の断面図。
【図３】（Ａ）は壁パネルの上面図であり、（Ｂ）は裏面図。
【図４】（Ａ）は手術室の上面図であり、（Ｂ）は（Ａ）のＢ−Ｂ視図。
【図５】（Ａ）は図４（Ａ）のＣ−Ｃ断面図であり、（Ｂ）は（Ａ）の上面図。
【図６】壁パネルで形成された手術室の側壁の一部を示す概略図。
【符号の説明】
【００３８】
１：手術室、２，２ａ，２ｂ，２ｃ，２ｄ，２ｅ：壁パネル、３：巾木部、４：架台、５：ベース部材、６：載置台、７：アンカー、８：床材、９：障害物、１０：ネジ、１１：レベル調整ボルト、１２：溝、１３：凸部、１４：突出片、１５：第１の連結棒、１６：第２の連結棒、１７：押え部材、１８：切欠き、１９：突起、２０：差込孔、２１：縦リブ、２２：横リブ、２３：開口、２４：開口、２５：台、２６：吊り部材、２７：天井パネル、２８：開口部、２９：開口部、３０：車輪、３１：器材戸棚、３２：レベル調整器具、３３：シャーカステン。
【図１】
2007077744.tif 000003
【図２】
2007077744.tif 000004
【図３】
2007077744.tif 000005
【図４】
2007077744.tif 000006
【図５】
2007077744.tif 000007
【図６】
2007077744.tif 000008